(57)【特許請求の範囲】
【請求項１】
電源からの入力電圧を直流の出力電圧へ変換して光源に供給する点灯回路と、
前記点灯回路の出力を制御する制御回路と、
前記電源からの入力電圧から前記制御回路の電源電圧となる第１直流電圧を生成する第１電源回路と、
前記点灯回路の出力電流の電流値に応じた電圧値の電圧を発生する電流電圧変換部と、
前記第１直流電圧を降圧して得た第２直流電圧を分圧してオフセット電圧を生成する第２電源回路とを備え、
前記第２直流電圧は、前記制御回路が動作可能な電源電圧の下限値である最低動作電圧よりも低い電圧に設定されており、
前記制御回路は、前記電流電圧変換部が発生した電圧に前記オフセット電圧を加えた電圧に基づいて前記点灯回路の出力を制御しており、
前記第１電源回路が生成した前記第１直流電圧が前記最低動作電圧を下回ると、前記制御回路が動作を停止する、
ことを特徴とする点灯装置。
【請求項２】
前記点灯回路が、前記電源に接続される力率改善回路と、前記力率改善回路の出力電圧を直流の出力電圧に変換するＤＣ／ＤＣコンバータ回路と、を備える、
ことを特徴とする請求項１に記載の点灯装置。
【請求項３】
前記点灯回路は、前記電源からの入力電圧を直流の出力電圧に変換するコンバータ回路と、前記コンバータ回路から前記光源に出力される電流を制御する電流制御回路と、を備える、
ことを特徴とする請求項１に記載の点灯装置。
【請求項４】
請求項１〜３のいずれか１項に記載の点灯装置と、
前記点灯装置を保持する本体とを備えたことを特徴とする照明器具。
【発明の詳細な説明】
【技術分野】
【０００１】
本発明は、点灯装置、及びそれを備える照明器具に関し、とくに、固体光源を点灯させる点灯装置及び照明器具に関する。
【背景技術】
【０００２】
従来、ＬＥＤを点灯させるＬＥＤ点灯装置があった（例えば特許文献１参照）。特許文献１のＬＥＤ点灯装置は、昇圧チョッパおよび降圧チョッパを備えた直流変換回路と、昇圧チョッパおよび降圧チョッパがそれぞれ備えるスイッチング素子を制御する制御手段とを備えている。制御手段は、マイコンやＩＣなどの半導体デバイスを用いて構成されている。
【先行技術文献】
【特許文献】
【０００３】
【特許文献１】特開２０１１−９３８３号公報
【発明の概要】
【発明が解決しようとする課題】
【０００４】
ＬＥＤを消灯させるために、ＬＥＤ点灯装置への電力供給が遮断された場合に、制御手段を動作させるための電圧が低下すると、制御手段の動作が不安定になって、ＬＥＤ点灯装置の出力が不安定になる可能性があった。
【０００５】
本発明は上記課題に鑑みてなされ、消灯時に動作が不安定になる可能性を低減した点灯装置、及びそれを備える照明器具を提供することを目的とする。
【課題を解決するための手段】
【０００６】
本発明の一態様の点灯装置は、点灯回路と、制御回路と、第１電源回路と、電流電圧変換部と、第２電源回路とを備える。前記点灯回路は、電源からの入力電圧を直流の出力電圧へ変換して光源に供給する。前記制御回路は前記点灯回路の出力を制御する。前記第１電源回路は、前記電源からの入力電圧から前記制御回路の電源電圧となる第１直流電圧を生成する。前記電流電圧変換部は、前記点灯回路の出力電流の電流値に応じた電圧値の電圧を発生する。前記第２電源回路は、前記第１直流電圧を降圧して得た第２直流電圧を分圧してオフセット電圧を生成する。前記第２直流電圧は、前記制御回路が動作可能な電源電圧の下限値である最低動作電圧よりも低い電圧に設定されている。前記制御回路は、前記電流電圧変換部が発生した電圧に前記オフセット電圧を加えた電圧に基づいて前記点灯回路の出力を制御している。前記第１電源回路が生成した前記第１直流電圧が前記最低動作電圧を下回ると、前記制御回路が動作を停止する。
【０００７】
本発明の一態様の照明器具は、前記点灯装置と、前記点灯装置を保持する本体とを備える。
【発明の効果】
【０００８】
本発明によれば、消灯時に動作が不安定になる可能性を低減することができる。
【図面の簡単な説明】
【０００９】
【図１】図１は、本発明の実施形態１に係る点灯装置の回路図である。
【図２】図２は、同上の点灯装置の各部の波形図である。
【図３】図３Ａは、同上の点灯装置のオフセット電圧が低レベルの場合の波形図である。図３Ｂは、同上の点灯装置のオフセット電圧が中レベルの場合の波形図である。図３Ｃは、同上の点灯装置のオフセット電圧が高レベルの場合の波形図である。
【図４】図４は、同上の点灯装置の各部の波形図である。
【図５】図５は、本発明の実施形態１の比較例に係る点灯装置の各部の波形図である。
【図６】図６は、本発明の実施形態２に係る点灯装置の回路図である。
【図７】図７Ａは、本発明の実施形態３に係る照明器具の斜視図である。図７Ｂは、本発明の実施形態３の変形例１に係る照明器具の斜視図である。図７Ｃは、本発明の実施形態３の変形例２に係る照明器具の斜視図である。
【発明を実施するための形態】
【００１０】
以下に説明する実施形態は、本発明に係る点灯装置、及びそれを備える照明器具の一例にすぎない。本発明は、以下の実施形態に限定されず、以下の実施形態は、本発明の目的を達成できれば、設計等に応じて種々の変更が可能である。
【００１１】
（実施形態１）
（１．１）構成
実施形態１に係る点灯装置１について図１〜５を参照して説明する。
【００１２】
本実施形態の点灯装置１は、図１に示すように、固体光源である光源３を点灯させる点灯装置である。
【００１３】
光源３は、直列に接続された複数の発光ダイオードを備える。本実施形態の光源３は複数の発光ダイオードであるが、１つの発光ダイオードでもよい。また、光源３は、発光ダイオード以外の固体光源でもよく、例えば有機エレクトロルミネッセンス素子でもよい。
【００１４】
点灯装置１は、点灯回路１０と、制御回路４０と、第１電源回路５０と、第２電源回路６０と、電流電圧変換部１３とを備えている。
【００１５】
点灯回路１０は、商用交流電源（例えばＡＣ１００／２００Ｖの交流電源）のような交流電源２からの入力電圧Ｖ１を直流の出力電圧へ変換して光源３に供給する。本実施形態の点灯回路１０は力率改善回路２０と降圧チョッパ回路３０とを含む。
【００１６】
力率改善回路２０は、昇圧チョッパの回路構成を有している。力率改善回路２０は、全波整流回路２１と、インダクタＬ１と、トランジスタＱ１と、ダイオードＤ１と、平滑コンデンサＣ１とを備えている。
【００１７】
全波整流回路２１は、交流電源２からの入力電圧Ｖ１を全波整流する。全波整流回路２１の出力端子間にはインダクタＬ１とトランジスタＱ１とが接続されている。インダクタＬ１及びトランジスタＱ１の接続点にはダイオードＤ１のアノードが接続されている。ダイオードＤ１のカソードと全波整流回路２１の低圧側の出力端との間には平滑コンデンサＣ１が接続されている。ドライバ２２がトランジスタＱ１のオン／オフを制御することによって、全波整流回路２１から入力される脈流電圧が一定の直流電圧Ｖ２に変換される。なお、本実施形態ではトランジスタＱ１がＭＯＳＦＥＴ（Metal Oxide Semiconductor Field Effect Transistor）であるが、トランジスタＱ１はバイポーラトランジスタでもよい。
【００１８】
降圧チョッパ回路３０は、トランジスタＱ２と、ダイオードＤ２と、インダクタＬ２と、コンデンサＣ２とを備えている。
【００１９】
力率改善回路２０の出力端子間にはトランジスタＱ２とダイオードＤ２とが直列に接続されている。ダイオードＤ２と並列にインダクタＬ２とコンデンサＣ２とが直列に接続されている。コンデンサＣ２と並列に光源３が接続されている。なお、本実施形態では、トランジスタＱ２がＭＯＳＦＥＴであるが、トランジスタＱ２はバイポーラトランジスタでもよい。トランジスタＱ２のオン／オフは制御回路４０によって制御される。
【００２０】
第１電源回路５０は、抵抗器Ｒ２と、ダイオードＤ３と、平滑コンデンサＣ３と、ツェナーダイオードＺＤ１とを備える。力率改善回路２０のインダクタＬ１には２次巻線ｎ１が設けられている。インダクタＬ１の２次巻線ｎ１の両端間には抵抗器Ｒ２とダイオードＤ３と平滑コンデンサＣ３とが直列に接続されている。平滑コンデンサＣ３と並列にツェナーダイオードＺＤ１が接続されている。第１電源回路５０では、ダイオードＤ３がインダクタＬ１の２次巻線ｎ１に発生する電流を整流しており、ダイオードＤ３で平滑された電流によって平滑コンデンサＣ３が充電される。ツェナーダイオードＺＤ１が平滑コンデンサＣ３と並列に接続されているので、平滑コンデンサＣ３の両端電圧（第１直流電圧Ｖ１１）はツェナーダイオードＺＤ１のツェナー電圧にクランプされる。すなわち、第１電源回路５０は、交流電源２の入力電圧Ｖ１から制御回路４０の電源電圧となる第１直流電圧Ｖ１１を生成する。
【００２１】
第２電源回路６０は、抵抗器Ｒ５，Ｒ６と、可変抵抗器ＶＲ１と、ツェナーダイオードＺＤ１とを備える。第１電源回路５０の平滑コンデンサＣ３の両端間に抵抗器Ｒ５とツェナーダイオードＺＤ２とが直列に接続されている。可変抵抗器ＶＲ１がツェナーダイオードＺＤ２と並列に接続されている。抵抗器Ｒ６の一端が可変抵抗器ＶＲ１の中点端子に接続されている。抵抗器Ｒ６の他端がコンデンサＣ４を介して全波整流回路２１の低圧側の出力端に接続されている。抵抗器Ｒ５とツェナーダイオードＺＤ２との直列回路に第１直流電圧Ｖ１１が印加され、ツェナーダイオードＺＤ２の両端間に第１直流電圧Ｖ１１を降圧した第２直流電圧Ｖ１２が発生する。そして、可変抵抗器ＶＲ１の中点端子には、第２直流電圧Ｖ１２を分圧したオフセット電圧Ｖ１３が発生する。すなわち、第２電源回路６０は、第１直流電圧Ｖ１１を降圧して得た第２直流電圧Ｖ１２を分圧したオフセット電圧Ｖ１３を生成する。
【００２２】
電流電圧変換部１３は、点灯回路１０の出力電流、すなわちインダクタＬ２に流れる電流Ｉ２が通る電流経路に直列に接続された抵抗器Ｒ１である。抵抗器Ｒ１は、光源３と、全波整流回路２１の低圧側の出力端との間に接続されている。抵抗器Ｒ１の両端間には、出力電流（電流Ｉ２）の電流値に応じた電圧値の電圧Ｖ３が発生する。
【００２３】
制御回路４０は、ＳＲフリップフロップ４１、コンパレータＣＰ１〜ＣＰ３、ＡＮＤゲート４２などの部品で構成される。制御回路４０は、ＳＲフリップフロップ４１、コンパレータＣＰ１〜ＣＰ３、ＡＮＤゲート４２などの部品が集積化されたＩＣ（Integrated Circuit）でもよいし、ディスクリート部品で構成されてもよい。
【００２４】
コンパレータＣＰ１のプラス端子は基準電圧Ｖth1を発生する電圧源に接続されている。インダクタＬ２には２次巻線ｎ２が設けられており、コンパレータＣＰ１のマイナス端子はインダクタＬ２の２次巻線ｎ２に抵抗器Ｒ３を介して接続されている。インダクタＬ２に流れる電流Ｉ２がゼロになると、コンパレータＣＰ１の出力がＬレベルからＨレベルになり、ＳＲフリップフロップ４１の出力がＨレベルになる。
【００２５】
コンパレータＣＰ２のプラス端子は、抵抗器Ｒ６とコンデンサＣ４との接続点に接続されている。抵抗器Ｒ６とコンデンサＣ４の接続点は、抵抗器Ｒ４を介して、光源３と抵抗器Ｒ１との接続点に接続されている。したがって、コンパレータＣＰ２のプラス端子の電圧は、抵抗器Ｒ１の両端電圧Ｖ３にオフセット電圧Ｖ１３を加えた電圧Ｖ１４となる。コンパレータＣＰ２のマイナス端子は閾値電圧Ｖth2を発生する電圧源に接続されている。コンパレータＣＰ２の出力端子は、ＳＲフリップフロップ４１のリセット端子に接続されている。コンパレータＣＰ２は、電圧Ｖ１４と閾値電圧Ｖth2との高低を比較する。電圧Ｖ１４が閾値電圧Ｖth2を超えると、コンパレータＣＰ２の出力がＬレベルからＨレベルになり、ＳＲフリップフロップ４１の出力がＬレベルになる。
【００２６】
コンパレータＣＰ３は、第１電源回路５０の第１直流電圧Ｖ１１と、電圧源から入力される最低動作電圧Ｖth3との高低を比較する。最低動作電圧Ｖth3は、制御回路４０が動作可能な電源電圧の下限値である。第１直流電圧Ｖ１１が最低動作電圧Ｖth3以上であれば、コンパレータＣＰ３の出力はＨレベルになる。なお、この下限値は、制御回路４０の動作を保証する下限電圧よりも所定電圧だけ高い電圧であってもよい。
【００２７】
ＡＮＤゲート４２には、コンパレータＣＰ３の出力信号と、ＳＲフリップフロップ４１の出力信号とが入力されている。ＡＮＤゲートＡ１の出力端子はバッファを介してトランジスタＱ２のゲートに接続されている。
【００２８】
ここで、第１直流電圧Ｖ１１が最低動作電圧Ｖth3未満であれば、コンパレータＣＰ３の出力がＬレベルになり、ＡＮＤゲートＡ１の出力がＬレベルになる。ＡＮＤゲートＡ２の出力がＬレベルになると、トランジスタＱ２がオフになるので、点灯回路１０が出力を停止し、光源３は消灯する。
【００２９】
第１直流電圧Ｖ１１が最低動作電圧Ｖth3以上であれば、コンパレータＣＰ３の出力がＨレベルになり、ＳＲフリップフロップ４１の出力のハイ（Ｈレベル）／ロー（Ｌレベル）に応じて、ＡＮＤゲート４２の出力がＨレベル又はＬレベルになる。インダクタＬ２に流れる電流Ｉ２がゼロになると、コンパレータＣＰ１の出力がＨレベルになって、ＳＲフリップフロップ４１の出力がＨレベルになる。これにより、トランジスタＱ２がオンになって、光源３に電流が流れる。その後、電流Ｉ１が増加して、電圧Ｖ１４が閾値電圧Ｖth2を超えると、コンパレータＣＰ２の出力がＨレベルになって、ＳＲフリップフロップ４１の出力がＬレベルになる。これにより、トランジスタＱ２がオフになり、光源３に電流が流れなくなる。
【００３０】
（１．２）動作
実施形態１の点灯装置１の動作を図２〜図５に基づいて説明する。
【００３１】
図２は、通常の点灯状態における各部の波形図である。図２の上側から順番に、トランジスタＱ２のゲート電圧、インダクタＬ２に流れる電流Ｉ２（点灯回路１０の出力電流）、オフセット電圧Ｖ１３、電圧Ｖ１４、電圧Ｖ１５、光源３に流れる負荷電流Ｉ１の波形図である。
【００３２】
点灯回路１０が動作している状態では、抵抗器Ｒ１の両端間に点灯回路１０の出力電流（インダクタＬ２に流れる電流Ｉ２）に応じた電圧値の電圧Ｖ３が発生する。
【００３３】
トランジスタＱ２がオンの状態では、トランジスタＱ２のオン時間が長くなるにつれて、インダクタＬ２に流れる電流Ｉ２が増加するため、電圧Ｖ３が増加する。電圧Ｖ３の増加によって、電圧Ｖ１４が閾値電圧Ｖth2を上回ると、コンパレータＣＰ２の出力がＨレベルになる。これにより、ＳＲフリップフロップ４１の出力がＬレベルになり、制御回路４０はトランジスタＱ２をオフにする。
【００３４】
トランジスタＱ２がオフになると、インダクタＬ２に流れる電流Ｉ２が徐々に低下していき、制御回路４０が電流Ｉ２のゼロクロスを検知すると、制御回路４０がトランジスタＱ２をオンにする。
【００３５】
これにより、コンデンサＣ２の両端電圧が所定の電圧値に制御され、光源３に流れる負荷電流Ｉ１が所定の電流値に制御される。
【００３６】
このように、制御回路４０は、抵抗器Ｒ１の両端電圧Ｖ３にオフセット電圧Ｖ１３を加えた電圧Ｖ１４が閾値電圧Ｖth2を上回ると、トランジスタＱ２をオフにする。つまり、オフセット電圧Ｖ１３によってトランジスタＱ２のオン時間が変化し、それに応じて光源３に流れる負荷電流Ｉ１が変化する。したがって、点灯装置１の製造時などに、可変抵抗器ＶＲ１の抵抗値を調整することで、オフセット電圧が変化するので、光源３に流れる負荷電流Ｉ１を調整することができる。
【００３７】
図３Ａはオフセット電圧Ｖ１３が低レベル（例えばゼロボルト）の場合の電圧Ｖ１４と負荷電流Ｉ１の波形図である。図３Ｂはオフセット電圧Ｖ１３が中レベルの場合の電圧Ｖ１４と負荷電流Ｉ１の波形図である。図３Ｃはオフセット電圧Ｖ１３が高レベルの場合の電圧Ｖ１４と負荷電流Ｉ１の波形図である。このように、オフセット電圧Ｖ１３が大きくなるにつれて、トランジスタＱ２のオン時間が短くなるため、負荷電流Ｉ１が減少する。また、オフセット電圧Ｖ１３が小さくなるにつれて、トランジスタＱ２のオン時間が長くなり、負荷電流Ｉ１が増加する。
【００３８】
ここで、第２電源回路６０の可変抵抗器ＶＲ１にツェナーダイオードＺＤ１が接続されていない場合（比較例）の動作について図４を参照して説明する。時刻ｔ１に交流電源２が点灯回路１０に入力されなくなると、ドライバ２２が動作を停止して、トランジスタＱ１がスイッチングを停止する。これにより、インダクタＬ１の２次巻線に電圧が発生しなくなるため、第１直流電圧Ｖ１１が徐々に低下し、それに応じてオフセット電圧Ｖ１３も徐々に低下する。
【００３９】
力率改善回路２０の平滑コンデンサＣ１は、リップルを低減するために、一般的に大容量であり、交流電源２の入力が停止しても、平滑コンデンサＣ１の両端電圧Ｖ２はすぐには低下しない。両端電圧Ｖ２が光源３の順方向電圧を下回るまで、力率改善回路２０は降圧チョッパ回路３０に電力を供給できる。したがって、第１直流電圧Ｖ１１が最低動作電圧Ｖth3を下回るまでの間、光源３には負荷電流Ｉ１が流れており、この間はオフセット電圧Ｖ１３が徐々に低下するため、負荷電流Ｉ１が徐々に増加する。これにより、光源３に突入電流が流れて、光源３などにストレスが加わり、また光出力も瞬間的に増加するため、閃光が発生する可能性がある。
【００４０】
それに対して、本実施形態の点灯装置１では、第２電源回路６０が、第１直流電圧Ｖ１１を降圧して得た第２直流電圧Ｖ１２からオフセット電圧Ｖ１３を生成しており、２直流電圧Ｖ２は最低動作電圧Ｖth3よりも低い電圧に設定されている。本実施形態の点灯装置１の動作について図５を参照して説明する。
【００４１】
時刻ｔ１に交流電源２が点灯回路１０に入力されなくなると、トランジスタＱ１がスイッチングを停止する。これにより、インダクタＬ１の２次巻線に電圧が発生しなくなるため、第１直流電圧Ｖ１１が徐々に低下するが、第１直流電圧Ｖ１１が最低動作電圧Ｖth3を上回っている間は、第２直流電圧Ｖ１２が変化しないため、オフセット電圧Ｖ１３も変化しない。したがって、消灯時において光源３に流れる負荷電流Ｉ１が変化しにくくなり、光源３に突入電流が流れる可能性が低減される。
【００４２】
（１．３）効果
本実施形態の点灯装置１は、点灯回路１０と、制御回路４０と、第１電源回路５０と、第２電源回路６０と、を備えている。点灯回路１０は、電源（交流電源２）からの入力電圧を直流の出力電圧へ変換して光源３に供給する。制御回路４０は点灯回路１０の出力を制御する。第１電源回路５０は、電源からの入力電圧から制御回路４０の電源電圧となる第１直流電圧Ｖ１１を生成する。電流電圧変換部１３（抵抗器Ｒ１）は、点灯回路１０の出力電流（電流Ｉ２）の電流値に応じた電圧値の電圧Ｖ３を発生する。第２電源回路６０は、第１直流電圧Ｖ１１を降圧して得た第２直流電圧Ｖ１２を分圧してオフセット電圧Ｖ１３を生成する。第２直流電圧Ｖ１２は、制御回路４０が動作可能な電源電圧の下限値である最低動作電圧Ｖth3よりも低い電圧に設定されている。制御回路４０は、電流電圧変換部１３が発生した電圧Ｖ３にオフセット電圧Ｖ１３を加えた電圧Ｖ１４に基づいて点灯回路１０の出力を制御している。第１電源回路５０が生成した第１直流電圧Ｖ１１が最低動作電圧Ｖth3を下回ると、制御回路４０が動作を停止する。
【００４３】
このように、制御回路４０は、点灯回路１０の出力電流（電流Ｉ２）の電流値に応じた電圧値の電圧Ｖ３にオフセット電圧Ｖ１３を加えた電圧Ｖ１４に基づいて点灯回路１０の出力を制御している。そして、第２直流電圧Ｖ１２は最低動作電圧Ｖth3よりも低い電圧となっている。したがって、第１直流電圧Ｖ１１が最低動作電圧Ｖth3を下回るまでの間は、オフセット電圧Ｖ１３が変化しにくくなり、電圧Ｖ１４の変化を抑制することができる。そして、第１直流電圧Ｖ１１が最低動作電圧Ｖth3を下回ると、制御回路４０が動作を停止して、光源３が消灯する。よって、消灯時に点灯装置１の動作が不安定になる可能性を低減することができる。
【００４４】
また、本実施形態の点灯装置１において、点灯回路１０が、電源（交流電源２）に接続される力率改善回路２０と、力率改善回路２０の出力電圧を直流の出力電圧に変換するＤＣ／ＤＣコンバータ回路（降圧チョッパ回路３０）と、を備えてもよい。力率改善回路２０とＤＣ／ＤＣコンバータ回路との組み合わせで点灯回路１０を実現することができる。なお、この構成は点灯装置１に必須の構成ではなく、点灯回路１０Ａの回路構成は適宜変更が可能である。
【００４５】
（１．４）実施形態１の変形例
第１電源回路５０は、全波整流回路２１の出力電圧から第１直流電圧Ｖ１１を生成しているが、平滑コンデンサＣ１の両端電圧Ｖ２から第１直流電圧Ｖ１１を生成してもよい。
【００４６】
第２電源回路６０は、第２直流電圧Ｖ１２を可変抵抗器ＶＲ１で分圧することによってオフセット電圧Ｖ１３を生成しているが、直列に接続された複数の抵抗器で分圧回路を形成してもよい。すなわち、直列に接続された複数の抵抗器で第２直流電圧Ｖ１２を分圧してオフセット電圧Ｖ１３を生成してもよい。
【００４７】
また、実施形態１の点灯装置１において、第２直流電圧Ｖ１２を生成する第２電源回路６０の放電時定数を、第１直流電圧Ｖ１１を生成する第１電源回路５０の放電時定数より長くしてもよい。これにより、消灯時に、制御回路４０が動作を停止するまでの間は、第２直流電圧Ｖ１２の変動が抑制されるため、オフセット電圧Ｖ１３が変化しにくくなる。よって、電圧Ｖ１４の変化を抑制することができ、消灯時に点灯装置１の動作が不安定になる可能性を低減することができる。
【００４８】
なお、第２直流電圧Ｖ１２を生成する第２電源回路６０の放電時定数を、第１直流電圧Ｖ１１を生成する第１電源回路５０の放電時定数より長くすれば、第２電源回路６０はツェナーダイオードを備える必要はない。
【００４９】
また、実施形態１で説明した構成（変形例を含む）は、実施形態２，３で説明する構成（変形例を含む）と適宜組み合わせて適用である。
【００５０】
（実施形態２）
（２．１）構成
実施形態２に係る点灯装置１について図６を参照して説明する。
【００５１】
実施形態２の点灯装置１は、図６に示すように、点灯回路１０Ａと、制御回路４０Ａと、第１電源回路５０Ａと、第２電源回路６０と、電流電圧変換部１３とを備えている。なお、第２電源回路６０及び電流電圧変換部１３は実施形態１と同様の構成であるので、第２電源回路６０及び電流電圧変換部１３の説明は省略する。
【００５２】
点灯回路１０Ａは、１コンバータ方式のコンバータ回路１１と、電流制御回路１２とを備える。
【００５３】
１コンバータ方式のコンバータ回路１１は、全波整流回路６１と、インダクタＬ１１，Ｌ１２と、コンデンサＣ１１〜Ｃ１３と、ダイオードＤ１１と、トランジスタＱ１１と、ドライバ６２とを備えたＳＥＰＩＣ（Single Ended Primary Inductor Converter）回路である。ＳＥＰＩＣ回路は、昇圧及び降圧が可能なＤＣ／ＤＣコンバータ回路である。ＳＥＰＩＣ回路は、力率改善回路の機能とＤＣ／ＤＣコンバータ回路の機能とを備えた、１コンバータ方式（電圧変換が１回）のコンバータ回路である。ドライバ６２がトランジスタＱ１１のオン／オフを制御することによって、コンバータ回路１１は、全波整流回路６１から出力される脈流電圧を、所定の電圧値の直流電圧に変換する。なお、コンバータ回路１１の詳細な動作については説明を省略する。
【００５４】
電流制御回路１２は、光源３と直列に接続されたトランジスタＱ１２を備える。トランジスタＱ１２は制御回路４０Ａによって制御される。トランジスタＱ１２は例えばＭＯＳＦＥＴであるが、バイポーラトランジスタでもよい。
【００５５】
第１電源回路５０Ａは、ＩＰＤ（Intelligent Power Device）５１と、平滑コンデンサＣ１４とを備える。ＩＰＤ５１が、全波整流回路６１から入力される電流で平滑コンデンサＣ１４を充電することによって、第１直流電圧Ｖ１１を生成する。
【００５６】
制御回路４０Ａは、コンパレータＣＰ３、オペアンプＯＰ１などの回路部品を備える。制御回路４０Ａは、コンパレータＣＰ３、オペアンプＯＰ１などの回路部品が集積化されたＩＣでもよいし、ディスクリート部品で構成されてもよい。
【００５７】
コンパレータＣＰ３は、第１直流電圧Ｖ１１と最低動作電圧Ｖth3との高低を比較する。第１直流電圧Ｖ１１が最低動作電圧Ｖth3を下回ると、コンパレータＣＰ３の出力がＨレベルになり、トランジスタＱ１２をオフにする。これにより、光源３に電流が流れなくなり、光源３が消灯する。
【００５８】
オペアンプＯＰ１は誤差増幅回路１２１を構成しており、この誤差増幅回路１２１でトランジスタＱ１２を制御する制御機能が実現される。オペアンプＯＰ１は、抵抗器Ｒ１の両端電圧Ｖ３にオフセット電圧Ｖ１３を加えた電圧Ｖ１４と閾値電圧Ｖth2との差分の電圧を増幅してトランジスタＱ１２のゲートに出力している。すなわち、誤差増幅回路１２１は、出力電流（負荷電流Ｉ１）が、電圧Ｖ１４と閾値電圧Ｖth2との差分に応じた電流値となるように、トランジスタＱ１２を制御している。ここにおいて、トランジスタＱ１と誤差増幅回路１２１とで電流制御回路１２が構成される。
【００５９】
そして、本実施形態の点灯装置１においても、第２電源回路６０が生成する第２直流電圧Ｖ１２が、最低動作電圧Ｖth3よりも低い電圧に設定されている。これにより、消灯時において、第１直流電圧Ｖ１１が最低動作電圧Ｖth3を下回るまでの間は、オフセット電圧Ｖ１３が変化しにくくなるため、電圧Ｖ１４の変化が抑制される。そして、第１直流電圧Ｖ１１が最低動作電圧Ｖth3を下回ると、制御回路４０が動作を停止して、光源３が消灯する。よって、消灯時に点灯装置１の動作が不安定になる可能性を低減することができる。
【００６０】
（２．２）効果
本実施形態の点灯装置１において、点灯回路１０Ａは、１コンバータ方式のコンバータ回路１１と、電流制御回路１２と、を備えることも好ましい。コンバータ回路１１は、電源（交流電源２）からの入力電圧を直流の出力電圧に変換する。電流制御回路１２は、コンバータ回路１１から光源３に出力される電流を制御する。
【００６１】
１コンバータ方式のコンバータ回路１１が、力率改善回路の機能と、ＤＣ／ＤＣコンバータの機能を有しているので、１つのコンバータ回路１１で点灯回路１０Ａを実現できる。なお、この構成は点灯装置１に必須の構成ではなく、点灯回路１０Ａの回路構成は適宜変更が可能である。
【００６２】
（２．３）実施形態２の変形例
第１電源回路５０Ａは、全波整流回路６１の出力電圧から第１直流電圧Ｖ１１を生成しているが、平滑コンデンサＣ１１の両端電圧Ｖ２から第１直流電圧Ｖ１１を生成してもよい。
【００６３】
実施形態２の点灯装置１において、第２直流電圧Ｖ１２を生成する第２電源回路６０の放電時定数を、第１直流電圧Ｖ１１を生成するコンデンサＣ１４の放電時定数より長くしてもよい。これにより、消灯時に、制御回路４０が動作を停止するまでの間は、第２直流電圧Ｖ１２の変動が抑制されるため、オフセット電圧Ｖ１３が変化しにくくなる。よって、電圧Ｖ１４の変化を抑制することができ、消灯時に動作が不安定になる可能性を低減することができる。
【００６４】
なお、第２直流電圧Ｖ１２を生成する第２電源回路６０の放電時定数を、第１直流電圧Ｖ１１を生成する平滑コンデンサＣ１４の放電時定数より長くすれば、第２電源回路６０はツェナーダイオードを備える必要はない。
【００６５】
なお、実施形態２で説明した構成（変形例を含む）は、実施形態１，３で説明する構成（変形例を含む）と適宜組み合わせて適用である。
【００６６】
（実施形態３）
以下、本実施形態に係る照明器具について詳細に説明する。
【００６７】
図７Ａは本実施形態の照明器具４Ａの斜視図である。
【００６８】
この照明器具４Ａは、実施形態１，２のいずれかで説明した点灯装置１と、点灯装置１を収納する本体７０Ａとを備えている。
【００６９】
照明器具４Ａは、天井に埋込配設されるダウンライトとして構成される。照明器具４Ａは、光源３と点灯装置１とを収納する本体７０Ａと、反射板７１とを備えている。本体７０Ａは、複数枚の放熱フィン７２を上部に備えている。本体７０Ａからは電源ケーブル７３が導出されている。電源ケーブル７３は、本体７０Ａに収納された点灯装置１と、交流電源２との間を接続する。
【００７０】
（実施形態３の変形例）
実施形態１，２で説明した点灯装置１を備える照明器具は、ダウンライトとして構成された照明器具に限定されず、スポットライトとして構成された照明器具でもよいし、その他の形態に構成された照明器具でもよい。
【００７１】
図７Ｂ及び図７Ｃは、配線ダクト５に取り付けられるスポットライトとして構成された照明器具４Ｂ，４Ｃである。
【００７２】
図７Ｂ及び図７Ｃは、配線ダクト５に取り付けられるスポットライトとしてそれぞれ構成された照明器具４Ｂ（変形例１）、照明器具４Ｃ（変形例２）である。
【００７３】
変形例１の照明器具４Ｂは、図７Ｂに示すように、本体７０Ｂと、反射板７４と、コネクタ部７５と、アーム部７６とを備える。本体７０Ｂは、光源３と点灯装置１とを収納する。コネクタ部７５は、配線ダクト５に装着される。アーム部７６は、コネクタ部７５と本体７０Ｂとを結合する。本体７０Ｂに収納された点灯装置１とコネクタ部７５とは、電源ケーブル７７を介して接続されている。
【００７４】
また、変形例２の照明器具４Ｃは、図７Ｃに示すように、本体７０Ｃと、ボックス７８と、連結部８０と、電源ケーブル８１とを備えている。本体７０Ｃは光源３を収納する。ボックス７８は点灯装置１を収納する。連結部８０は本体７０Ｃとボックス７８とを連結する。電源ケーブル８１は、本体７０Ｃに収納された光源３と、ボックス７８に収納された点灯装置１との間を接続する。なお、ボックス７８の上面には、配線ダクト５と着脱可能な状態で電気的かつ機械的に接続されるコネクタ部８２が設けられる。
【００７５】
なお、実施形態２で説明した構成（変形例１，２を含む）は、実施形態１、２で説明した構成（変形例を含む）と適宜組み合わせて適用できる。
【００７６】
以上のように、本実施形態の照明器具４Ａ，４Ｂ，４Ｃは、実施形態１又は２（変形例を含む）に係る点灯装置１と、点灯装置１を保持する本体７０Ａ，７０Ｂ，７０Ｃとを備えている。照明器具４Ａ，４Ｂ，４Ｃは、実施形態１又は２で説明した点灯装置１を備えているので、消灯時に動作が不安定になる可能性を低減することができる。
【符号の説明】
【００７７】
１  点灯装置
２  交流電源（電源）
３  光源
４Ａ〜４Ｃ  照明器具
１０，１０Ａ  点灯回路
１１  コンバータ回路
１２  電流制御回路
１３  電流電圧変換部
２０  力率改善回路
３０  ＤＣ／ＤＣコンバータ回路
４０，１２１  制御回路
５０，５０Ａ  第１電源回路
６０  第２電源回路
７０Ａ〜７０Ｃ  本体
Ｒ１  抵抗器（電流電圧変換部）
Ｖ１１  第１直流電圧
Ｖ１２  第２直流電圧
Ｖ１３  オフセット電圧
Ｖth3  最低動作電圧
【図１】
0006614532.tif 000002
【図２】
0006614532.tif 000003
【図３】
0006614532.tif 000004
【図４】
0006614532.tif 000005
【図５】
0006614532.tif 000006
【図６】
0006614532.tif 000007
【図７】
0006614532.tif 000008